(57)【要約】  ＲＦＩＤタグの脱水作業に対する耐久性を高くする。  ＲＦＩＤタグ１は、ベース布３に無線通信用のチップモジュール４を取り付けて構成される。チップモジュール４は、無線通信を制御するＩＣチップ４６と、ＩＣチップ４６と電気的に接続されたコアアンテナ４８と、ＩＣチップ４６とコアアンテナ４８とを封止する、少なくとも１つの貫通孔４２が形成された封止部４９と、を有する。ベース布３は、導電性繊維により形成されるブーストアンテナ２を有し、チップモジュール４は、ブーストアンテナ２に対する所定の位置において、貫通孔４２とベース布３に共に貫通する非導電性糸４４によりベース布３に取り付けられる。
2017135331.tif 000002
【特許請求の範囲】
【請求項１】
基材に無線通信用のチップモジュールを取り付けたＲＦＩＤタグであって、
前記チップモジュールは、
無線通信を制御するＩＣチップと、
前記ＩＣチップと電気的に接続されたコアアンテナと、
前記ＩＣチップと前記コアアンテナとを封止する、少なくとも１つの貫通孔が形成された封止部と、を有し、
前記基材は、導電性繊維により形成されるブーストアンテナを有し、
前記チップモジュールは、前記ブーストアンテナに対する所定の位置において、前記貫通孔と前記基材に共に貫通する取付部材により前記基材に取り付けられることを特徴とするＲＦＩＤタグ。
【請求項２】
前記チップモジュールを内側として折り畳まれた前記基材の縁部を非導電性繊維により縫合したことを特徴とする請求項１に記載のＲＦＩＤタグ。
【請求項３】
前記基材は、布であり、
前記取付部材は、糸であり、
前記チップモジュールは、前記貫通孔に貫通する前記糸を用いて前記布に縫い付けられることを特徴とする請求項１又は２に記載のＲＦＩＤタグ。
【請求項４】
前記取付部材は、前記貫通孔に挿通される柱部を有し、前記封止部と係合する係合部材であり、
前記基材は、前記チップモジュールと前記係合部材との間に配置され、
前記貫通孔に前記柱部を挿通した状態で、前記チップモジュール及び前記係合部材が前記基材に対して固定されることを特徴とする請求項１又は２に記載のＲＦＩＤタグ。
【請求項５】
前記基材は、前記ブーストアンテナを形成する第１領域と、前記ブーストアンテナを形成しない第２領域とを有し、
前記第１領域と前記第２領域の境界部で折り畳まれた前記基材の前記縁部を前記非導電性繊維により縫合したことを特徴とする請求項２に記載のＲＦＩＤタグ。
【請求項６】
前記第２領域のサイズが前記第１領域のサイズ以上であることを特徴とする請求項５に記載のＲＦＩＤタグ。
【請求項７】
前記チップモジュールは、前記第１領域に取り付けられることを特徴とする請求項５又は６に記載のＲＦＩＤタグ。
【請求項８】
前記基材の前記縁部のうち、前記第１領域と前記第２領域の境界と平行な部分については前記非導電性繊維により縫合し、前記境界と垂直な部分については縫合しないことを特徴とする請求項５乃至７のいずれかに記載のＲＦＩＤタグ。
【請求項９】
前記ブーストアンテナは、波状のパターンに形成され、
前記チップモジュールは、前記波状のパターンの間に配置されることを特徴とする請求項１乃至８のいずれかに記載のＲＦＩＤタグ。
【請求項１０】
前記封止部は、樹脂材により成形され、
前記コアアンテナは、環状部を有し、
前記環状部の内側に前記貫通孔が形成されることを特徴とする請求項１乃至８のいずれかに記載のＲＦＩＤタグ。
【請求項１１】
前記基材の縁部と識別対象物である繊維製品とが、前記非導電性繊維により共に縫い付けられることを特徴とする請求項２に記載のＲＦＩＤタグ。
【請求項１２】
前記チップモジュールを内側として折り畳まれた前記基材において、前記チップモジュールが取り付けられる側の取付領域に形成される第１ブーストアンテナと、
前記チップモジュールを内側として折り畳まれた前記基材において、前記チップモジュールが取り付けられない側の非取付領域に形成される第２ブーストアンテナと、を有し、
前記第１ブーストアンテナと前記第２ブーストアンテナとは連結しており、
前記基材が前記チップモジュールを内側として折り畳まれた状態で、前記チップモジュールと、前記第１ブーストアンテナと、前記第２ブーストアンテナのそれぞれの少なくとも一部が重なることを特徴とする請求項１に記載のＲＦＩＤタグ。
【発明の詳細な説明】
【技術分野】
【０００１】
本発明は、繊維製品に取り付けられるＲＦＩＤタグに関する。
【背景技術】
【０００２】
衣服、リネン、ランドリー用品等の各種の繊維製品を管理するために、繊維製品にＲＦＩＤタグを取り付けることがある。例えば、特許文献１においては、ＩＣチップやコアアンテナを基材に対してテープ状布材により接着固定してＲＦＩＤタグを構成している。
【先行技術文献】
【特許文献】
【０００３】
【特許文献１】特許第５３６９３３７号公報
【発明の概要】
【発明が解決しようとする課題】
【０００４】
繊維製品に対しては洗濯、脱水、乾燥、アイロン掛け等のクリーニング作業が繰り返し行われるため、ＲＦＩＤタグには特に以下の点で耐久性に課題がある。第１には、ＩＣチップ及びアンテナに対する高度の防水性と耐薬品性である。第２には、洗濯、脱水、アイロン掛け、折り畳みの際に加わるタグの折れ曲がり、圧縮によるアンテナ、ＩＣチップ周辺部の破損である。第３に、圧搾脱水等の急激な加圧に対する、ＩＣチップの保持部に閉じ込められた水分の圧力によるＩＣチップ保持部の破れによるＩＣチップの脱落である。【０００５】
本発明は特に上記の第３の課題を解決するものであり、その目的は、脱水作業に対する耐久性が高いＲＦＩＤタグを提供することにある。
【課題を解決するための手段】
【０００６】
前記課題は、基材に無線通信用のチップモジュールを取り付けたＲＦＩＤタグであって、前記チップモジュールは、無線通信を制御するＩＣチップと、前記ＩＣチップと電気的に接続されたコアアンテナと、前記ＩＣチップと前記コアアンテナとを封止する、少なくとも１つの貫通孔が形成された封止部と、を有し、前記基材は、導電性繊維により形成されるブーストアンテナを有し、前記チップモジュールは、前記ブーストアンテナに対する所定の位置において、前記貫通孔と前記基材に共に貫通する取付部材により前記基材に取り付けられることを特徴とするＲＦＩＤタグにより解決される。【０００７】
上記のＲＦＩＤタグによれば、チップモジュールを基材に直接取り付け、チップモジュールの保持部に水が溜まりにくい構造とすることができる。これにより、繊維製品に取り付けたＲＦＩＤタグを繊維製品と共に洗濯した際にチップモジュールの保持部に水が溜まることがない。そのため、圧搾脱水時にチップモジュールの保持部に閉じ込められた水の圧力が急激に上昇することによりチップモジュールの保持部が破損し、チップモジュールが脱落してしまうことを防止できる。【０００８】
また、上記のＲＦＩＤタグにおいて、前記チップモジュールを内側として折り畳まれた前記基材の縁部を非導電性繊維により縫合してもよい。
このように、チップモジュールの上下面を基材により覆うことで、チップモジュールへの引っ掛かりの発生を抑えることができる。これにより、基材からチップモジュールが引き剥がされてしまうことを防止できる。また、上記のＲＦＩＤタグによれば、チップモジュールを基材で覆う際の縫合箇所を少なくすることができる。【０００９】
また、上記のＲＦＩＤタグにおいて、前記基材は、布であり、前記取付部材は、糸であり、前記チップモジュールは、前記貫通孔に貫通する前記糸を用いて前記基材に縫い付けられることとしてもよい。
こうすることで、チップモジュールを簡易な構造により基材に直接固定することができる。【００１０】
また、上記のＲＦＩＤタグにおいて、前記取付部材は、前記貫通孔に挿通される柱部を有し、前記封止部と係合する係合部材であり、前記基材は、前記チップモジュールと前記係合部材との間に配置され、前記貫通孔に前記柱部を挿通した状態で、前記チップモジュール及び前記係合部材が前記基材に対して固定されることとしてもよい。
こうすることで、チップモジュールを簡易な構造により基材に直接固定することができる。【００１１】
また、上記のＲＦＩＤタグにおいて、前記基材は、前記ブーストアンテナを形成する第１領域と、前記ブーストアンテナを形成しない第２領域とを有し、前記第１領域と前記第２領域の境界部で折り畳まれた前記基材の前記縁部を前記非導電性繊維により縫合してもよい。
こうすることで、ブーストアンテナのパターンの変形を回避できる。これにより、チップモジュールのコアアンテナとブーストアンテナとの電磁結合を安定させることができる。また、ブーストアンテナが折れ曲がったまま、洗濯、脱水、アイロン掛けされることを防止できる。そのため、ブーストアンテナの耐久性も高めることができる。【００１２】
また、上記のＲＦＩＤタグにおいて、前記第２領域のサイズが前記第１領域のサイズ以上であることとしてもよい。
こうすることで、チップモジュールの上部を覆う基材の部分に、ブーストアンテナのパターンが現れないようにできる。これにより、ＲＦＩＤタグを目立たなくさせることができる。【００１３】
また、上記のＲＦＩＤタグにおいて、前記チップモジュールは、前記第１領域に取り付けられることとしてもよい。
こうすることで、チップモジュールのブーストアンテナに対する位置決めの精度を高めることができる。また、チップモジュールとブーストアンテナとの位置がずれることがないため、通信品質を安定させることができる。【００１４】
また、上記のＲＦＩＤタグにおいて、前記基材の前記縁部のうち、前記第１領域と前記第２領域の境界と平行な部分については前記非導電性繊維により縫合し、前記境界と垂直な部分については縫合しないこととしてもよい。
こうすることで、ＲＦＩＤタグの内部を水が流れやすい構造とすることができ、圧搾時の水圧がチップモジュールにかからないようにできる。これにより圧搾時のチップモジュールの保持部の破損を回避できる。【００１５】
また、上記のＲＦＩＤタグにおいて、前記ブーストアンテナは、波状のパターンに形成され、前記チップモジュールは、前記波状のパターンの間に配置されることとしてもよい。
こうすることで、チップモジュールのコアアンテナとブーストアンテナとの距離を近接させることができる。これにより、無線通信を安定させることができる。【００１６】
また、上記のＲＦＩＤタグにおいて、前記封止部は、樹脂材により成形され、前記コアアンテナは、環状部を有し、前記環状部の内側に前記貫通孔が形成されることとしてもよい。
こうすることで、チップモジュールの内部に設けられるコアアンテナの長さを確保することができる。これにより、チップモジュールを小型化することができる。【００１７】
また、上記のＲＦＩＤタグにおいて、前記基材の縁部と識別対象物である繊維製品とが、前記非導電性繊維により共に縫い付けられることとしてもよい。
こうすることで、ＲＦＩＤタグを繊維製品に簡易な構造で取り付けることができる。これにより、ＲＦＩＤタグの製造及び繊維製品への取り付けに必要な縫合回数を低減させることができる。【００１８】
また、上記のＲＦＩＤタグにおいて、前記チップモジュールを内側として折り畳まれた前記基材において、前記チップモジュールが取り付けられる側の取付領域に形成される第１ブーストアンテナと、前記チップモジュールを内側として折り畳まれた前記基材において、前記チップモジュールが取り付けられない側の非取付領域に形成される第２ブーストアンテナと、を有し、前記第１ブーストアンテナと前記第２ブーストアンテナとは連結しており、前記基材が前記チップモジュールを内側として折り畳まれた状態で、前記チップモジュールと、前記第１ブーストアンテナと、前記第２ブーストアンテナのそれぞれの少なくとも一部が重なることとしてもよい。
こうすることで、チップモジュールのコアアンテナ、第１ブーストアンテナ、第２ブーストアンテナの電磁結合を高め、無線通信の信号強度を向上させることができる。
【発明の効果】
【００１９】
本発明によれば、圧搾脱水時にチップモジュールの保持部が破損し、チップモジュールが脱落してしまうことを防止できる。これにより、ＲＦＩＤタグの脱水作業に対する耐久性を高くすることができる。
【図面の簡単な説明】
【００２０】
【図１】本発明の第１の実施形態に係るＲＦＩＤタグの構成を説明する図である。
【図２】チップモジュールの取り付け部分の拡大図である。
【図３】チップモジュールの取り付け部分の側面図である。
【図４】インレットの構成を説明する図である。
【図５】チップモジュールの側面図である。
【図６】ＲＦＩＤタグの縫い付け部分を説明する図である。
【図７】繊維製品にＲＦＩＤタグを取り付けた状態を示す図である。
【図８】変形例に係るチップモジュールを示す図である。
【図９】変形例に係るチップモジュールを示す図である。
【図１０】変形例に係るＲＦＩＤタグの縫い付け部分を説明する図である。
【図１１】変形例に係るチップモジュールを示す分解構成図である。
【図１２Ａ】変形例に係るチップモジュールの取り付けを説明する図である。
【図１２Ｂ】変形例に係るチップモジュールの取り付けを説明する図である。
【図１２Ｃ】変形例に係るチップモジュールの取り付けを説明する図である。
【図１３】本発明の第２の実施形態に係るＲＦＩＤタグを製造するためのベース布とブーストアンテナのパターンを示す図である。
【図１４】第２の実施形態に係るＲＦＩＤタグを製造するためのベース布にチップモジュールを取り付けた状態を示す図である。
【図１５】第２の実施形態に係るＲＦＩＤタグに用いられるチップモジュールの構成を示す図である。
【図１６】ベース布を切り分けた後の一ユニット分のＲＦＩＤタグを示す図である。
【図１７】折畳み境界部を中心としてＲＦＩＤタグを折り畳んだ状態を示す図である。
【図１８】折畳み境界部を中心として折り畳んだＲＦＩＤタグを縫合部で縫合した状態を示す図である。
【図１９】第２の実施形態に係るＲＦＩＤタグにおけるブーストアンテナのパターンの変形例を示す図である。
【発明を実施するための形態】
【００２１】
以下、図１乃至図１９に基づき、本発明の実施形態について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００２２】
図１には、第１の実施形態に係るＲＦＩＤタグ１の構成を示す。図１に示されるように、ＲＦＩＤタグ１は、ベース布３と、ベース布３に導電性繊維を縫い付けて形成したブーストアンテナ２と、ベース布３に取り付けられたチップモジュール４とを備える。
【００２３】
ベース布３は、絹、麻、毛等の天然繊維や、ポリエステル、アセテート、レーヨン、ナイロン等の合成繊維を用いて形成される織布又は編布である。
【００２４】
ベース布３は、ブーストアンテナ２が形成される領域である第１領域１０と、ブーストアンテナ２が形成されない領域である第２領域２０とを有し、第１領域１０と第２領域２０との境を境界部５とする。ここで、第１領域１０の幅Ｗ１と、第２領域２０の幅Ｗ２とでは、Ｗ２がＷ１以上であることとしてよい。すなわち、第１領域１０と第２領域２０とでは、第２領域２０のサイズは第１領域１０のサイズ以上であることとしてよい。
【００２５】
第１領域１０には、ブーストアンテナ形成領域１１と縫代部１２が含まれ、ブーストアンテナ形成領域１１にブーストアンテナ２が形成される。なお、縫代部１２は、ＲＦＩＤタグ１の取り付け時において第１領域１０と第２領域２０を縫い付ける領域であるが、詳しくは後述する。
【００２６】
ブーストアンテナ２は、ベース布３と一体に織り込まれることとしてよい。すなわち、ブーストアンテナ２を構成する導電性糸と、ベース布３を構成する非導電性糸とを共に織ることにより、ベース布３にブーストアンテナ２を形成することとしてよい。これにより、ベース布３を形成した後に、ブーストアンテナ２を縫い付ける工程が不要となり、作業負荷を軽減させることができる。
【００２７】
また、第１の実施形態では、ブーストアンテナ２を、波状のパターンとして構成することとするが、これに限られず、矩形、円形、直線、曲線等の多様なパターンとして構成してもよい。
【００２８】
そして、ブーストアンテナ２の波状のパターンの間にチップモジュール４を配置し、当該配置されたチップモジュール４をベース布３に取り付ける。以下、図２乃至５に基づいて、チップモジュール４の構成及びチップモジュール４の取付構造の詳細について説明する。
【００２９】
図２には、ＲＦＩＤタグ１に関し、チップモジュール４の取り付け部分の拡大図を示す。図３には、チップモジュール４の取り付け部分の側面図を示す。図４にはチップモジュール４の内部に配されたインレット４０の構成を示す。そして、図５には、チップモジュール４の側面図を示す。
【００３０】
図２に示されるように、チップモジュール４には、複数（第１の実施形態では４つ）の貫通孔４２が形成されており、図２及び図３に示すように一対の貫通孔４２にそれぞれ非導電性糸４４が通されて、非導電性糸４４によりベース布３にチップモジュール４が取り付けられている。具体的には、非導電性糸４４を用いて、ボタンを衣服に取り付ける際に用いる縫製作業により、チップモジュール４をベース布３に取り付けることとしてよい。なお、チップモジュール４をベース布３に取り付ける縫製作業において根巻きを行わないようにして、チップモジュール４とブーストアンテナ２との電磁結合を高めるようにしてもよい。
【００３１】
図２及び図５に示されるように、チップモジュール４の内部には、インレット４０が設けられており、インレット４０はエポキシ樹脂、シリコーン樹脂等の樹脂材からなる封止部４９により封止されている。このように、インレット４０を封止部４９により覆うようにしたことで、インレット４０を水、熱、衝撃から保護することができる。
【００３２】
次に、図４に基づいてインレット４０の構成について説明する。図４に示されるように、インレット４０は、基板４１、ＩＣチップ４６、インピーダンス整合回路４７、コアアンテナ４８を備える。
【００３３】
基板４１の外周縁部には、コアアンテナ４８が形成されている。コアアンテナ４８は、環状パターンを有しており、例えば銅、銀、金、白金、アルミニウム等の金属箔により形成されることとしてよい。
【００３４】
コアアンテナ４８にはインピーダンス整合回路４７を介してＩＣチップ４６が接続されている。ＩＣチップ４６は、ＩＤ情報を保持し、コアアンテナ４８を介して受信される電磁波に、ＩＤ情報を変調させて返信する機能を備える集積回路である。なお、第１の実施形態では、インピーダンス整合回路４７を設ける構成について説明するが、インピーダンス整合回路４７を設けなくともよい。この場合に、コアアンテナ４８においてＩＣチップ４６とのインピーダンス整合を取るように設計してもよい。
【００３５】
また、基板４１において、コアアンテナ４８が形成される領域よりも内側において、貫通孔４２が形成されている。
【００３６】
次に、図６及び図７に基づいて、識別対象物であるタオル等の繊維製品５０にＲＦＩＤタグ１を取り付けるための構成について説明する。
【００３７】
図６に示されるように、ＲＦＩＤタグ１を取り付ける際には、チップモジュール４が内側となるように、ベース布３を折り畳み、第１領域１０と第２領域２０の縁部をそれぞれ重ね合わせる。
【００３８】
そして、図７に示されるように、繊維製品５０のタグ縫付部５０Ａに、第１領域１０及び第２領域２０の縁部を、例えば非導電性糸により縫いつける。縫合部３０は、上記の非導電性糸による縫い付け部分に相当する。なお、縫合部３０は、縫代部１２に設けられることとしてよく、このように縫代部１２を設けておくことにより、ブーストアンテナ２の箇所を避けて縫い付けを行うことができる。また、縫代部１２を設けない場合においても、ブーストアンテナ２を著しく変形、破損させない程度に第１領域１０と第２領域２０を非導電性糸により縫い付けることとしてよい。また、上記の実施形態では、縫合部３０を設ける箇所を第１領域１０と第２領域２０の縁部としたが、これに限られず、チップモジュール４を配置した領域以外であれば他の領域としてもよい。
【００３９】
以上説明した第１の実施形態に係るＲＦＩＤタグ１によれば、チップモジュール４をベース布３に直接取り付け、チップモジュール４の周囲に水が溜まり難い、すなわち水が流れ易い構造とすることができる。これにより、洗濯時においてチップモジュール４の周囲に水が溜まることがない。そのため、圧搾脱水時にチップモジュール４の周囲に溜まった水の圧力によりチップモジュール４を取り付けたベース布３の部分が破損してしまうことを防止できる。これにより、チップモジュール４がベース布３から脱落してしまうことを防止できる。
【００４０】
また、チップモジュール４に貫通孔４２を設け、ボタンの取り付けと同様に簡単な作業により、チップモジュール４をベース布３に取り付けることができる。
【００４１】
また、ＲＦＩＤタグ１において、ベース布３にはブーストアンテナ２を形成する第１領域１０と、ブーストアンテナ２を形成しない第２領域２０とを設け、チップモジュール４を内側として折り畳まれた第１領域１０と第２領域２０の縁部を非導電性繊維により縫合したことにより、チップモジュール４をベース布３により外部に露出しないように保護できる。また、チップモジュール４をベース布３で覆う際に縫合箇所を少なくすることができる。
【００４２】
また、ベース布３のうちブーストアンテナ２を形成しない第２領域２０側がチップモジュール４の上部となるため、チップモジュール４の上部に、ブーストアンテナ２のパターンが現れないようにできる。また、第２領域２０のサイズが第１領域１０のサイズ以上であることで、ブーストアンテナ２のパターンが外部に露出しないようにできる。これにより、ＲＦＩＤタグ１を目立たなくすることができる。また、第１領域１０と第２領域２０とを折り曲げた状態で上側となる第２領域２０の上面に製品名やロゴマーク等を表す刺繍を施してもよい。このように第２領域２０にはブーストアンテナ２が形成されていないため、上記のような刺繍を形成する領域を確保できる。
【００４３】
また、チップモジュール４を、第１領域１０に取り付けることで、チップモジュール４とブーストアンテナ２との位置決め精度を向上させることができる。これにより、チップモジュール４のコアアンテナ４８とブーストアンテナ２との電磁結合を高め、無線通信を安定させることができる。
【００４４】
また、チップモジュール４をブーストアンテナ２の波状のパターンの間に配置するようにしたことで、チップモジュール４のコアアンテナ４８とブーストアンテナ２との距離を近接させ、両者の電磁結合をより高め、無線通信を安定させることができる。
【００４５】
また、チップモジュール４のインレット４０を封止部４９により保護するようにすることでチップモジュールの防水性を高めることができる。また、チップモジュール４においてコアアンテナ４８の内側に貫通孔４２を形成するようにしたことで、コアアンテナ４８の長さを確保することができ、設計自由度を高めることができる。
【００４６】
また、ベース布３の第１領域１０と第２領域２０の縁部と識別対象物である繊維製品５０とが、縫合部３０において共に縫い付けられることで、ＲＦＩＤタグ１の製造と、ＲＦＩＤタグ１の取り付けに必要な縫合回数を低減させることができる。
【００４７】
また、ベース布３の縁部のうち、第１領域１０と第２領域２０の境界部５と平行な縁部については縫合し、境界部５と垂直な縁部については縫合しないこととしてもよい。こうした場合には、ＲＦＩＤタグ１の内部を水がより流れやすい構造とすることができる。
【００４８】
本発明は上記の実施形態に限定されるものではなく種々の変形が可能である。以下においては、ＲＦＩＤタグ１の変形例について説明する。
【００４９】
図８には、第１の変形例に係るチップモジュール４Ａの構成を示す。図８に示されるように、チップモジュール４Ａでは、チップモジュール４と貫通孔４２の数は同じであるが、チップモジュール４による取り付け構造が相違する。すなわち、チップモジュール４Ａは、ベース布３に対して、非導電性糸４４が交差するように取り付けられる。こうした場合には、チップモジュール４Ａが回転する動きをより規制することができる。
【００５０】
図９には、第２の変形例に係るチップモジュール４Ｂの構成を示す。図９に示されるように、チップモジュール４Ｂでは、中心部に１つの貫通孔４２Ｂが形成され、さらに外周部に４つの切欠部４２Ｃが形成されている。チップモジュール４Ｂについては、貫通孔４２Ｂと切欠部４２Ｃを一組とし、それぞれの組について、貫通孔４２Ｂに通した非導電性糸４４を切欠部４２Ｃに掛けて留めることで、チップモジュール４Ｂをベース布３に取り付けるようにしている。
【００５１】
また、上記の実施形態においては、第１領域１０と第２領域２０の縁部のうち、境界部５と平行の縁部を縫合部３０により縫合することとしたが、これに限られず、図１０に示すように、境界部５と垂直の縁部を縫合してもよい。すなわち、ＲＦＩＤタグ１において、長手方向の縁部を縫合する縫合部３０に加えて、短手方向の縁部を縫合する縫合部３１、縫合部３２を設けてもよい。こうした場合には、万が一、チップモジュール４がベース布３から外れた場合にも、ＲＦＩＤタグ１から脱落することを防止できる。
【００５２】
次に、第３の変形例に係るチップモジュール４Ｃについて説明する。チップモジュール４Ｃは、２つの部品から構成される点で上述したチップモジュール４と相違する。以下、チップモジュール４Ｃの構成について図１１及び図１２に基づいて説明する。
【００５３】
図１１には、チップモジュール４Ｃの分解構成図を示す。また、図１２Ａ、図１２Ｂ及び図１２Ｃには、チップモジュール４Ｃのベース布３への取付構造を説明する図を示す。
【００５４】
図１１に示されるように、チップモジュール４Ｃは、ベースモジュール６０及び係合部材６２を備える。ベースモジュール６０は、環状部６０Ａと、環状部６０Ａの中心に形成された貫通孔６０Ｂを含み構成されている。
【００５５】
係合部材６２は、基部６２Ａと、基部６２Ａの中心部から上方向に突出した柱部６２Ｂを含み構成される。柱部６２Ｂは、ベースモジュール６０の貫通孔６０Ｂに挿通される径の円柱状に形成される。
【００５６】
そして、図１２Ａに示されるように、ベース布３の上にベースモジュール６０を配置し、ベース布３の下から係合部材６２の柱部６２Ｂを、ベース布３とベースモジュール６０の貫通孔６０Ｂを挿通させる。なお、ベースモジュール６０は、チップモジュール４と同様に、ブーストアンテナ２の波状パターンの間に配置することとしてよい。
【００５７】
次に、図１２Ｂに示されるように、柱部６２Ｂを貫通孔６０Ｂに貫通させ、ベース布３を挟み込んだまま、ベースモジュール６０と係合部材６２とを係合させる。
【００５８】
さらに、図１２Ｃに示されるように、柱部６２Ｂの上端部をかしめることにより、ベースモジュール６０と係合部材６２とが係合状態が外れないように嵌め合わせる。
【００５９】
以上の工程により、チップモジュール４Ｃをベース布３に取り付けることができる。なお、チップモジュール４Ｃをベース布３に取り付けた後は、チップモジュール４を備えるＲＦＩＤタグ１と同様の方法により繊維製品に取り付けることができる。
【００６０】
また、チップモジュールに形成される貫通孔の数は４に限られるものではなく、またチップモジュールは３以上の部品から構成されることとしてもよい。
【００６１】
次に、図１３乃至図１９を参照しながら、本発明の第２の実施形態に係るＲＦＩＤタグ１Ａについて説明する。
まず、図１３乃至図１８に基づいて、第２の実施形態に係るＲＦＩＤタグ１Ａの構成及びＲＦＩＤタグ１Ａの製造工程について説明する。なお、以下の説明における上下、左右の方向は、図面における上下、左右に対応するものとする。
【００６２】
図１３に示されるように、ベース布３に対しては、導電性糸からなるブーストアンテナ２が縫い付けられている。ブーストアンテナ２は、ベース布３の製造時にベース布３に織り込まれてもよいし、ベース布３を製造した後にベース布３に縫い付けられてもよい。
【００６３】
図１３において、ベース布３において破線で区切られるタグユニット作成領域３Ａ、タグユニット作成領域３Ｂがそれぞれ１つのＲＦＩＤタグ１Ａを作成する部分に相当する。ベース布３において隣り合うタグユニット作成領域３Ａとタグユニット作成領域３Ｂに構成されるブーストアンテナ２のパターンは左右対称である。そして、ベース布３においてはタグユニット作成領域３Ａとタグユニット作成領域３Ｂのパターンが交互に形成される。
そして、例えばソーイングマシンを用いてブーストアンテナ２をベース布３に縫い付ける場合には、ベース布３の搬送方向に対し垂直な方向にのみソーイングマシンの移動を制御すればよいため、ソーイングマシンによる生産が容易となっている。このようにブーストアンテナ２の形状を構成したことにより、ベース布３にブーストアンテナ２を縫い付ける作業の効率を向上させることができる。
【００６４】
以下、タグユニット作成領域３Ａとタグユニット作成領域３Ｂの構成は左右対称であること以外は実質的に同一であるため、主にタグユニット作成領域３Ａの部分の構成について説明する。
【００６５】
図１３に示されるように、タグユニット作成領域３Ａに形成されるブーストアンテナ２は、中心部２Ｃを中心として点対称の形状をなしている。図１３において中心部２Ｃを堺に、左下側のブーストアンテナ２を第１ブーストアンテナ２Ａ、中心部２Ｃを堺に、右上側のブーストアンテナ２を第２ブーストアンテナ２Ｂとする。上述したように、第１ブーストアンテナ２Ａと第２ブーストアンテナ２Ｂとは、中心部２Ｃを中心として点対称の形状となっている。
【００６６】
そして、第１ブーストアンテナ２Ａは、中心部２Ｃよりも上側まで突出するように形成されたＵ字形状の第１カップリング部２Ｄを有する。
また、第２ブーストアンテナ２Ｂは、中心部２Ｃよりも下側まで突出するように形成されたＵ字形状の第２カップリング部２Ｅを有する。
【００６７】
次に、図１４に示されるように、ブーストアンテナ２が縫い付けられたベース布３に対して、チップモジュール４Ｄを第１カップリング部２Ｄと重なる位置に取り付ける。チップモジュール４Ｄは、ベース布３におけるタグユニット作成領域３Ａ、タグユニット作成領域３Ｂのそれぞれに対し取り付けられる。
【００６８】
以下、図１５に基づきチップモジュール４Ｄの構成について説明する。
図１５に示されるように、チップモジュール４Ｄは、ＩＣチップ４６と、ＩＣチップ４６に接続されるコアアンテナ４８を樹脂等の封止部４９により封止して構成される。本実施形態では、コアアンテナ４８は、二重のループを有することとする。
また、封止部４９には、中心部に貫通孔５１が形成されるとともに、外縁の一部に切欠部５２が形成されている。
【００６９】
上述したように、チップモジュール４Ｄは、タグユニット作成領域３Ａにおいて、第１カップリング部２Ｄと重なる位置に取り付けられる。具体的には、ベース布３に貫通させた非導電性糸４４を、チップモジュール４Ｄの貫通孔５１、切欠部５２に巻回させ、非導電性糸４４の終端を留めることにより、チップモジュール４Ｄをベース布３に縫い付けて固定する。
【００７０】
次に、図１６に示されるように、ベース布３に形成されるタグユニット作成領域３Ａ、タグユニット作成領域３Ｂの境界をそれぞれ切断する。なお、ベース布３の切断は、例えばヒートカットにより行うこととしてよい。
【００７１】
そして、図１６及び図１７に示されるように、ＲＦＩＤタグ１Ａを左右の中心部である折畳み境界部１５を中心としてチップモジュール４Ｄを内側として折り畳む。本実施形態では、折畳み境界部１５を堺として、チップモジュール４Ｄが取り付けられる側を取付領域１３、チップモジュール４Ｄが取り付けられていない側を非取付領域１４とする。
なお、上記においては、ＲＦＩＤタグ１Ａのブーストアンテナ２を、中心部２Ｃを堺として第１ブーストアンテナ２Ａと、第２ブーストアンテナ２Ｂに分ける例について説明したが、これに限られず、ブーストアンテナ２のうち、取付領域１３に形成される部分を第１ブーストアンテナ２Ａ、非取付領域１４に形成される部分を第２ブーストアンテナ２Ｂと称してもよい。
上記の場合においても、第１ブーストアンテナ２Ａには第１カップリング部２Ｄが、第２ブーストアンテナ２Ｂには第２カップリング部２Ｅが少なくとも形成されることとなる。
【００７２】
そして、ＲＦＩＤタグ１Ａを、折畳み境界部１５を中心として折り畳んだ状態では、図１７に示されるように、第１カップリング部２Ｄ、チップモジュール４Ｄ、第２カップリング部２Ｅが厚み方向で重なった状態に配置される。具体的には、第１カップリング部２Ｄと第２カップリング部２Ｅとにより形成されるループが、チップモジュール４Ｄのコアアンテナ４８と重なるか、又はその周囲に配置される。
このように配置することで、チップモジュール４Ｄのコアアンテナ４８の周囲において、厚み方向で重なる第１カップリング部２Ｄと第２カップリング部２Ｅに流れる電流の向きが同じとなる。これにより、チップモジュール４Ｄのコアアンテナ４８とブーストアンテナ２との電磁結合を高め、無線通信の信号強度を向上させることができる。これにより、ＲＦＩＤタグ１Ａによる無線通信を安定させることができる。
【００７３】
次に、図１８に示されるように、折り畳んだＲＦＩＤタグ１Ａのうち、ブーストアンテナ２及びチップモジュール４Ｄが配置されていない箇所を非導電性糸等で縫合した縫合部１６を形成する。これにより、ＲＦＩＤタグ１Ａの折畳み状態で固定することができる。そして、繊維製品５０のタグ縫付部５０Ａに、折り畳んだＲＦＩＤタグ１Ａの縁部を、例えば非導電性糸により縫いつけることで、繊維製品５０にＲＦＩＤタグ１Ａを取り付けることができる。
【００７４】
また、ベース布３に形成されるブーストアンテナ２の形状は上記の例に限定されるものではない。例えば、図１９に示されるように、ブーストアンテナ２の終端部を中央部となるようにしてもよいし、ブーストアンテナ２の波数を増加（又は減少）させてもよい。
【００７５】
また、第２の実施形態に係るＲＦＩＤタグ１Ａにおいては、ダブルループのコアアンテナ４８を有するチップモジュール４Ｄを用いた例について説明したが、コアアンテナ４８はシングルループであっても構わない。
また、第２の実施形態に係るＲＦＩＤタグ１Ａにおいて、チップモジュール４Ｄに代えて、チップモジュール４、チップモジュール４Ａ、チップモジュール４Ｂ及びチップモジュール４Ｃを用いても構わない。
【００７６】
以上説明した第２の実施形態に係るＲＦＩＤタグ１Ａによれば、チップモジュール４Ｄの近傍において、ＲＦＩＤタグ１Ａを折り畳んだ状態で、第１カップリング部２Ｄと第２カップリング部２Ｅとが上面視においてループを構成する。なお、上記のループは、チップモジュール４Ｄのコアアンテナ４８と厚み方向で重なるか、その周囲に配置されるものである。
そして、ＲＦＩＤタグ１Ａにおいては、厚み方向で重なる第１カップリング部２Ｄと第２カップリング部２Ｅに流れる電流の向きが同じとなるように配置したことで、チップモジュール４Ｄのコアアンテナ４８とブーストアンテナ２との電磁結合を高め、無線通信の信号強度を向上させることができる。
これにより、必要な無線通信の信号強度を得るために要するブーストアンテナ２の長さを短くすることができ、ＲＦＩＤタグ１Ａの小型化も実現できる。
【００７７】
また、ＲＦＩＤタグ１Ａでは、チップモジュール４Ｄのコアアンテナ４８を二重のループ構造としたことで、チップモジュール４Ｄのコアアンテナ４８とブーストアンテナ２との電磁結合をより高め、無線通信の信号強度を向上させることができる。
【００７８】
また、上記の製造工程によれば、長尺のベース布３から複数のＲＦＩＤタグ１Ａを生産することができるため、生産効率を高めることができる。
【符号の説明】
【００７９】
１  ＲＦＩＤタグ
１Ａ  ＲＦＩＤタグ
２  ブーストアンテナ
２Ａ  第１ブーストアンテナ
２Ｂ  第２ブーストアンテナ
２Ｃ  中心部
２Ｄ  第１カップリング部
２Ｅ  第２カップリング部
３  ベース布
３Ａ  タグユニット作成領域
３Ｂ  タグユニット作成領域
４  チップモジュール
４Ａ  チップモジュール
４Ｂ  チップモジュール
４Ｃ  チップモジュール
４Ｄ  チップモジュール
５  境界部
１０  第１領域
１１  ブーストアンテナ形成領域
１２  縫代部
１３  取付領域
１４  非取付領域
１５  折畳み境界部
１６  縫合部
２０  第２領域
３０  縫合部
３１  縫合部
３２  縫合部
４０  インレット
４１  基板
４２  貫通孔
４２Ａ  貫通孔
４２Ｂ  貫通孔
４２Ｃ  切欠部
４４  非導電性糸
４６  ＩＣチップ
４７  インピーダンス整合回路
４８  コアアンテナ
４９  封止部
５０  繊維製品
５０Ａ  タグ縫付部
５１  貫通孔
５２  切欠部
６０  ベースモジュール
６０Ａ  環状部
６０Ｂ  貫通孔
６２  係合部材
６２Ａ  基部
６２Ｂ  柱部
【図１】
2017135331.tif 000003
【図２】
2017135331.tif 000004
【図３】
2017135331.tif 000005
【図４】
2017135331.tif 000006
【図５】
2017135331.tif 000007
【図６】
2017135331.tif 000008
【図７】
2017135331.tif 000009
【図８】
2017135331.tif 000010
【図９】
2017135331.tif 000011
【図１０】
2017135331.tif 000012
【図１１】
2017135331.tif 000013
【図１２Ａ】
2017135331.tif 000014
【図１２Ｂ】
2017135331.tif 000015
【図１２Ｃ】
2017135331.tif 000016
【図１３】
2017135331.tif 000017
【図１４】
2017135331.tif 000018
【図１５】
2017135331.tif 000019
【図１６】
2017135331.tif 000020
【図１７】
2017135331.tif 000021
【図１８】
2017135331.tif 000022
【図１９】
2017135331.tif 000023
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
基材に無線通信用のチップモジュールを取り付けたＲＦＩＤタグであって、
前記チップモジュールは、
無線通信を制御するＩＣチップと、
前記ＩＣチップと電気的に接続されたコアアンテナと、
前記ＩＣチップと前記コアアンテナとを封止する、少なくとも１つの貫通孔が形成された封止部と、を有し、
前記基材は、導電性繊維により形成されるブーストアンテナを有し、
前記チップモジュールは、前記ブーストアンテナに対する所定の位置において、前記貫通孔と前記基材に共に貫通する取付部材により前記基材に取り付けられ、
前記基材は、前記チップモジュールが取り付けられる側の取付領域と、前記チップモジュールが取り付けられない側の非取付領域と、を有し、
前記チップモジュールを内側として、前記取付領域と前記非取付領域との互いに対向する縁部が共に識別対象物に取り付けられた状態で、前記基材が筒状に構成され、
筒状に構成された前記基材の内側において前記チップモジュールが露出していることを特徴とするＲＦＩＤタグ。
【請求項２】
前記チップモジュールを内側として折り畳まれた前記基材の縁部を非導電性繊維により縫合したことを特徴とする請求項１に記載のＲＦＩＤタグ。
【請求項３】
前記基材は、布であり、
前記取付部材は、糸であり、
前記チップモジュールは、前記貫通孔に貫通する前記糸を用いて前記布に縫い付けられることを特徴とする請求項１又は２に記載のＲＦＩＤタグ。
【請求項４】
前記取付部材は、前記貫通孔に挿通される柱部を有し、前記封止部と係合する係合部材であり、
前記基材は、前記チップモジュールと前記係合部材との間に配置され、
前記貫通孔に前記柱部を挿通した状態で、前記チップモジュール及び前記係合部材が前記基材に対して固定されることを特徴とする請求項１又は２に記載のＲＦＩＤタグ。
【請求項５】
前記基材は、前記ブーストアンテナを形成する第１領域と、前記ブーストアンテナを形成しない第２領域とを有し、
前記第１領域と前記第２領域の境界部で折り畳まれた前記基材の前記縁部を前記非導電性繊維により縫合したことを特徴とする請求項２に記載のＲＦＩＤタグ。
【請求項６】
前記第２領域のサイズが前記第１領域のサイズ以上であることを特徴とする請求項５に記載のＲＦＩＤタグ。
【請求項７】
前記チップモジュールは、前記第１領域に取り付けられることを特徴とする請求項５又は６に記載のＲＦＩＤタグ。
【請求項８】
前記基材の前記縁部のうち、前記第１領域と前記第２領域の境界と平行な部分については前記非導電性繊維により縫合し、前記境界と垂直な部分については縫合しないことを特徴とする請求項５乃至７のいずれかに記載のＲＦＩＤタグ。
【請求項９】
前記ブーストアンテナは、波状のパターンに形成され、
前記チップモジュールは、前記波状のパターンの間に配置されることを特徴とする請求項１乃至８のいずれかに記載のＲＦＩＤタグ。
【請求項１０】
前記封止部は、樹脂材により成形され、
前記コアアンテナは、環状部を有し、
前記環状部の内側に前記貫通孔が形成されることを特徴とする請求項１乃至８のいずれかに記載のＲＦＩＤタグ。
【請求項１１】
前記基材の縁部と識別対象物である繊維製品とが、前記非導電性繊維により共に縫い付けられることを特徴とする請求項２に記載のＲＦＩＤタグ。
【請求項１２】
前記取付領域に形成される第１ブーストアンテナと、
前記非取付領域に形成される第２ブーストアンテナと、を有し、
前記第１ブーストアンテナと前記第２ブーストアンテナとは連結しており、
前記基材が前記チップモジュールを内側として折り畳まれた状態で、前記チップモジュールと、前記第１ブーストアンテナと、前記第２ブーストアンテナのそれぞれの少なくとも一部が重なることを特徴とする請求項１に記載のＲＦＩＤタグ。
【手続補正２】
【補正対象書類名】明細書
【補正対象項目名】０００６
【補正方法】変更
【補正の内容】
【０００６】
前記課題は、本発明に係るＲＦＩＤタグによれば、基材に無線通信用のチップモジュールを取り付けたＲＦＩＤタグであって、前記チップモジュールは、無線通信を制御するＩＣチップと、前記ＩＣチップと電気的に接続されたコアアンテナと、前記ＩＣチップと前記コアアンテナとを封止する、少なくとも１つの貫通孔が形成された封止部と、を有し、前記基材は、導電性繊維により形成されるブーストアンテナを有し、前記チップモジュールは、前記ブーストアンテナに対する所定の位置において、前記貫通孔と前記基材に共に貫通する取付部材により前記基材に取り付けられ、前記基材は、前記チップモジュールが取り付けられる側の取付領域と、前記チップモジュールが取り付けられない側の非取付領域と、を有し、前記チップモジュールを内側として、前記取付領域と前記非取付領域との互いに対向する縁部が共に識別対象物に取り付けられた状態で、前記基材が筒状に構成され、筒状に構成された前記基材の内側において前記チップモジュールが露出していることにより解決される。
【手続補正３】
【補正対象書類名】明細書
【補正対象項目名】００１８
【補正方法】変更
【補正の内容】
【００１８】
また、上記のＲＦＩＤタグにおいて、前記取付領域に形成される第１ブーストアンテナと、前記非取付領域に形成される第２ブーストアンテナと、を有し、前記第１ブーストアンテナと前記第２ブーストアンテナとは連結しており、前記基材が前記チップモジュールを内側として折り畳まれた状態で、前記チップモジュールと、前記第１ブーストアンテナと、前記第２ブーストアンテナのそれぞれの少なくとも一部が重なることとしてもよい。
こうすることで、チップモジュールのコアアンテナ、第１ブーストアンテナ、第２ブーストアンテナの電磁結合を高め、無線通信の信号強度を向上させることができる。
【国際調査報告】
2017135331.tif 000024
2017135331.tif 000025
2017135331.tif 000026
2017135331.tif 000027